(57)【要約】      （修正有）【課題】脚柱の重量が減少する、伸縮脚柱を備える昇降台を提供する。【解決手段】昇降台は平台板６２と伸縮脚柱１を備え、伸縮脚柱は上脚管１０、中脚管２０、下脚管３０、モータ４１、内スクリュー４３、外スクリュー４２、スライドブロック４４、上ナット５０及び下ナット５１を含む。上脚管の頂端は連接ユニット６０により平台板に接設される。外スクリューは相対して伸縮することで、スライドブロックを通じて内スクリューを収容できる。上ナットは中脚管に固設され且つ内スクリューと螺合する。下ナットは下脚管に固設され且つ外スクリューと螺合する。モータが内スクリューを駆動して回転させると、内スクリューはスライドブロックを通じて外スクリューを連動させて同時に回転させ、上ナット及び下ナットによる内スクリュー及び外スクリューとの螺合作用を通じて、内スクリュー及び外スクリューを相対して伸縮させ、並びに中脚管を上脚管に相対して伸縮させ、下脚管を中脚管に相対して伸縮させる。【選択図】図１
0003222124.tif 000002
【実用新案登録請求の範囲】
【請求項１】
伸縮脚柱を備える昇降台であり、平台板と、前記平台板の底部に接設される少なくとも一つの伸縮脚柱を含み、少なくとも一つの前記伸縮脚柱が上脚管と、中脚管と、下脚管と、モータと、内スクリューと、外スクリューと、スライドブロックと、上ナットと、下ナットとを含み、
前記上脚管の頂端が連接ユニットにより前記平台板と連接して前記平台板に固定され、
前記中脚管が伸縮することで前記上脚管に収容されることができ、
前記下脚管の底端が脚台と連接し、前記下脚管が伸縮することで前記中脚管に収容されることができ、
前記モータが前記連接ユニットに設置され、
前記内スクリューの頂端が前記モータの出力側と連接し、
前記外スクリューが相対して伸縮することで、前記内スクリューを収容することができ、前記外スクリューの内壁には軸方向に延伸する複数個のガイド溝が備えられ、
前記スライドブロックが前記内スクリュー上に固設され、前記スライドブロックの外周には軸方向に延伸する複数個の凸条が備えられ、複数個の前記凸条と複数個の前記ガイド溝が嵌合し、
前記上ナットが前記中脚管に固設され且つ前記内スクリューと螺合し、
前記下ナットが前記下脚管に設置され且つ前記外スクリューと螺合し、
前記モータが前記内スクリューを駆動して回転させると、前記内スクリューが前記スライドブロックを通じて前記外スクリューを連動させて同時に回転させ、前記上ナット及び前記下ナットそれぞれによる前記内スクリュー及び前記外スクリューとの螺合作用を通じて、前記内スクリュー及び前記外スクリューを相対して伸縮させ、並びに前記中脚管を前記上脚管に相対して伸縮させ、前記下脚管を前記中脚管に相対して伸縮させることを特徴とする、伸縮脚柱を備える昇降台。
【請求項２】
前記中脚管の頂端内部には二つの上クランプブロックが設置され、二つの前記上クランプブロックが前記上ナットを挟んで固定し、前記下脚管の頂端内部には二つの下クランプブロックが固設され、二つの前記下クランプブロックが前記下ナットを挟んで固定することを特徴とする、請求項１に記載の伸縮脚柱を備える昇降台。
【請求項３】
二つの前記上クランプブロックが少なくとも一つの螺栓により錠合し固定され、二つの前記下クランプブロックが少なくとも一つの螺栓により錠合し固定され、複数個の栓パーツがそれぞれ前記中脚管と前記下脚管の壁部に穿設され、且つ複数個の前記栓パーツの前端がそれぞれ二つの前記上クランプブロック及び二つの前記下クランプブロックに穿入され、二つの前記上クランプブロック及び二つの前記下クランプブロックをそれぞれ前記中脚管及び前記下脚管に固定することを特徴とする、請求項２に記載の伸縮脚柱を備える昇降台。
【請求項４】
複数個の前記栓パーツの後端にはそれぞれパッチが固設され、前記パッチがそれぞれ前記中脚管及び前記下脚管の壁部の外周面に、前記外周面を覆うかたちで貼付されることを特徴とする、請求項３に記載の伸縮脚柱を備える昇降台。
【請求項５】
各前記パッチの外周面上には少なくとも一つのチャネルが備えられ、少なくとも一つの前記チャネル内には特定量の潤滑油が填入され、前記特定量の潤滑油により、前記中脚管に貼付される前記パッチと前記上脚管との間に潤滑作用が備えられ、並びに前記下脚管に貼付される前記パッチと前記中脚管との間に潤滑作用が備えられることを特徴とする、請求項４に記載の伸縮脚柱を備える昇降台。
【請求項６】
少なくとも一つの前記チャネルが複数個であることを特徴とする、請求項５に記載の伸縮脚柱を備える昇降台。
【請求項７】
更に前記平台板の短辺に沿って延伸する二つの定位ロッドと、前記平台板の長辺に沿って延伸する二つのスライドベースと、前記平台板の長辺に沿って延伸することで前記スライドベースの二つのスライドスロットに嵌入される二つのスライドレールと、前記連接ユニットとし且つ前記スライドベースに設置される二つの電装箱とを含み、二つの前記スライドベースがそれぞれ二つの前記定位ロッドと相対する側に固設され、二つの前記定位ロッドが二つの前記スライドレールを通じて間隔の距離が調整されることで前記平台板の底面に設置されることを特徴とする、請求項１に記載の伸縮脚柱を備える昇降台。
【請求項８】
前記脚台が長さを備えるリニアロッドを含み、前記下脚管の前記底端が前記リニアロッドの中段頂部に錠接及び固定され、前記リニアロッドの前記長さが、前記下脚管の長さの二分の一より大きいか、または前記下脚管の長さの二分の一に等しく、前記リニアロッドの縦軸線と前記下脚管の縦軸線が相互に垂直であり、前記リニアロッドが平面上に置かれることで、前記下脚管が前記平面に相対して安定的に直立し、前記のモータの前記出力側がウォームギアを含み、前記内スクリューの前記頂端には前記ウォームギアと噛合するウォームホイールが固設され、前記連接ユニットが電装箱を含み、前記モータが前記電装箱内に容置され、前記電装箱が前記平台板の前記底部に定位されることを特徴とする、請求項１に記載の伸縮脚柱を備える昇降台。
【請求項９】
前記上脚管、前記中脚管、前記下脚管の横断面がそれぞれ矩形であり、前記上脚管の内径が前記中脚管の外径より大きく、前記上脚管が前記中脚管の外周を収容し、前記中脚管の内径が前記下脚管の外径より大きく、前記中脚管が前記下脚管の外周を収容することを特徴とする、請求項１に記載の伸縮脚柱を備える昇降台。
【考案の詳細な説明】
【技術分野】
【０００１】
本考案は伸縮脚柱を備える昇降台に関し、特に、脚柱の伸縮ストロークが増加し、脚柱の重量が減少する技術に関する。
【背景技術】
【０００２】
例えば昇降するコンピュータデスク等の従来の昇降台は、平台板、基座、伸縮脚柱及び伸縮脚柱の昇降に用いられる電動スクリュー（電動シリンダ）を含む。伸縮脚柱は相互に伸縮し且つ接合する上脚管及び下脚管を含む。電動スクリューは、一体に組立てられるモータ、シリンダブロック及び少なくとも一つのスクリューを含む。電動スクリューは上脚管及び下脚管の内部に取付けられる。電動スクリューのモータが少なくとも一つのスクリューを駆動してシリンダブロックに相対して伸縮させることで、伸縮ロッドにより下脚管が上脚管に相対して伸縮動作を行う下で、伸縮脚柱が平台板を昇降させる。しかし、周知の昇降台の伸縮脚柱では、すでにモジュール化されることで一体に組立てられたモータ、シリンダブロック及び少なくとも一つのスクリューを含む電動スクリューを追加的に取付けなければならず、よって全体の重量が増加するのみならず、固定の規格（最大伸縮ストローク等）へとモジュール化されたリニア駆動装置となり、必要とする昇降ストロークの規格の伸縮脚柱へと任意に改修及び設計することができず、適用性の限界が見受けられる。
【考案の概要】
【考案が解決しようとする課題】
【０００３】
本考案の目的は、伸縮脚柱に直接二組のスクリューの線状駆動メカニズムを組合わせ、且つ当該線状駆動メカニズム及び脚柱を系統立てて平台板上に組立てることで、脚柱が伸縮するストロークが増加し、且つ脚柱の重量が減少する昇降台を提供する事である。
【課題を解決するための手段】
【０００４】
本考案は平台板及びこの平台板に接設される伸縮脚柱を含む。伸縮脚柱は上脚管、中脚管、下脚管、モータ、内スクリュー、外スクリュー、スライドブロック、上ナット及び下ナットを含む。上脚管の頂端は連接ユニットにより平台板に固定される。中脚管は伸縮することで上脚管に収容される。下脚管の底端は脚台と連接し、下脚管は伸縮することで中脚管に収容される。内スクリューの頂端はモータの出力側と連接する。外スクリューは相対して伸縮することで内スクリューを収容し、外スクリューの内壁には軸方向に延伸する複数個のガイド溝が備えられる。スライドブロックは内スクリュー上に固設され、スライドブロックの外周には軸方向に延伸する複数個の凸条が備えられる。複数個の凸条と複数個のガイド溝は嵌合する。上ナットは中脚管に固設され且つ内スクリューと螺合する。下ナットは下脚管に固設され且つ外スクリューと螺合する。モータが内スクリューを駆動して回転させると、内スクリューはスライドブロックを通じて外スクリューを連動させて同時に回転させ、上ナット及び下ナットによる内スクリュー及び外スクリューそれぞれとの螺合作用を通じて、内スクリュー及び外スクリューを相対して伸縮させ、並びに中脚管を上脚管に相対して伸縮させ、下脚管を中脚管に相対して伸縮させる。
【図面の簡単な説明】
【０００５】
【図１】本考案の具体的な構造を示す分解図である。
【図２】本考案の図１におけるＡエリアの部分拡大図である。
【図３】本考案の図１におけるＢエリアの部分拡大図である。
【図４】本考案の図１におけるＣエリアの部分拡大図である。
【図５】本考案の図１におけるＤエリアの部分拡大図である。
【図６】本考案の伸縮脚柱が完全に伸展した際の断面図である。
【図７】本考案の図６におけるＥエリアの部分拡大図である。
【図８】本考案の伸縮脚柱が完全に収合した際の断面図である。
【図９】本考案の図８におけるＦエリアの部分拡大図である。
【図１０】本考案の伸縮脚柱が完全に伸展した際の外観図である。
【図１１】本考案の伸縮脚柱が完全に収合した際の外観図である。
【考案を実施するための形態】
【０００６】
図１及び図６乃至図１１に示すように、本考案の具体的な実施例は、平台板６２と、平台板６２底部に接設される二組の伸縮脚柱１を含む。一組毎の伸縮脚柱１は、横断面がそれぞれ矩形を呈する上脚管１０、中脚管２０、下脚管３０、モータ４１、外スクリュー４２、内スクリュー４３、スライドブロック４４、上ナット５０及び下ナット５１を含む。上脚管１０の頂端は連接ユニット６０により平台板６２と連接する。中脚管２０は伸縮することで上脚管１０に収容される。下脚管３０の末端は脚台６１と連接する。下脚管３０は伸縮することで中脚管２０に収容される。モータ４１は連接ユニット６０上に設置される。モータ４１の出力側は内スクリュー４３の一端と連接する。内スクリュー４３は外スクリュー４２に相対して伸縮することで、外スクリュー４２に収容される。スライドブロック４４は内スクリュー４３上に固設される。外スクリュー４２の内壁には軸方向に延伸する複数個のガイド溝４２０が備えられる。スライドブロック４４の外周には軸方向に延伸する複数個の凸条４４０が備えられ、複数個の凸条４４０とガイド溝４２０は逐一対応して嵌合する。上ナット５０は中脚管２０に固設され且つ内スクリュー４３と螺合する。下ナット５１は下脚管３０に固設され且つ外スクリュー４２と螺合する。モータ４１が内スクリュー４３を駆動して回転させると、内スクリュー４３はスライドブロック４４を通じて外スクリュー４２を連動させて同時に回転させ、且つ上ナット５０及び下ナット５１による内スクリュー４３及び外スクリュー４２それぞれとの螺合作用を通じて、内スクリュー４３及び外スクリュー４２を相対して伸縮させ、並びに中脚管２０を上脚管１０に相対して伸縮させ、下脚管３０を中脚管２０に相対して伸縮させる。
【０００７】
図８、図９に示すように、モータ４１は動力を出力するウォームギア４１０を備える。ウォームギア４１０の軸線と、上脚管１０、中脚管２０、下脚管３０、内スクリュー４３及び外スクリュー４２の軸線との夾角はおよそ９０度である。内スクリュー４３の頂端にはウォームギア４１０と噛合するウォームホイール４３０が設置される。図５、図７に示すように、内スクリュー４３の底端にはスライドブロック４４が設置される。スライドブロック４４の外周には、軸方向への延伸を呈する複数個の凸条４４０が備えられ、外スクリュー４２の内周には、軸方向への延伸を呈することで複数個の凸条４４０と伸縮及び変位して噛合する複数のガイド溝４２０が設けられる。
【０００８】
図１、図３に示すように、中脚管２０の頂端内部には二つの上クランプブロック７０が設置される。二つの上クランプブロック７０は上ナット５０及び軸受５０１を挟んで固定する。下脚管３０の頂端内部には二つの下クランプブロック７１が固設される。二つの下クランプブロック７１は下ナット５１を挟んで固定する。二つの上クランプブロック７０及び二つの下クランプブロック７１はそれぞれ複数の螺栓７２により錠合し固定される。複数個の栓パーツ８１はそれぞれ中脚管２０と下脚管３０の壁部に穿設され、且つ前端がそれぞれ二つの上クランプブロック７０及び二つの下クランプブロック７１に穿入され、二つの上クランプブロック７０及び二つの下クランプブロック７１をそれぞれ中脚管２０及び下脚管３０の頂端内部に固定する。脚台６１は、長さを備えるリニアロッド６１０、及びリニアロッド６１０底部に固定される複数個のクッションブロック６１１を含む。下脚管３０の底端はリニアロッド６１０の中段頂部に錠接及び固定される。リニアロッド６１０の前記長さは、下脚管３０の長さの二分の一より大きいか、または下脚管３０の長さの二分の一に等しい。リニアロッド６１０の縦軸線と下脚管３０の縦軸線は相互に垂直である。リニアロッド６１０が平面上に置かれることで、下脚管３０が前記平面に相対して安定的に直立する。二つの上クランプブロック７０及び二つの下クランプブロック７１はそれぞれ多辺形の凹陥７００／７１０を備える事で、それぞれが上ナット５０及び下ナット５１外周の多辺面５００／５１０にマッチしこれらを挟んで固定する。軸受５０１は二つの上クランプブロック７０と外スクリュー４２との間に介置される。
【０００９】
図１に示すように、上脚管１０、中脚管２０、下脚管３０の横断面はそれぞれ矩形であり、上脚管１０の内径は中脚管２０の外径より大きく、上脚管１０は中脚管２０の外周を収容する。中脚管２０の内径は下脚管３０の外径より大きく、中脚管２０は下脚管３０の外周を収容する。
【００１０】
図１、図４に示すように、本考案は更に平台板６２の短辺に沿って延伸する二つの定位ロッド６３と、平台板６２の長辺に沿って延伸する二つのスライドベース６４と、平台板６２の長辺に沿って延伸することでスライドベース６４の二つのスライドスロット６４０に嵌入される二つのスライドレール６５と、連接ユニット６０としての二つの電装箱６０ａとを含む。上脚管１０の頂端は連接ユニット６０を通じて平台板６２と連接する。中脚管２０は伸縮することで上脚管１０に収容される。下脚管３０の末端は脚台６１と連接する。下脚管３０は伸縮することで中脚管２０に収容される。二つのスライドベース６４はそれぞれ二つの定位ロッド６３と相対する側に固定され、二つの定位ロッド６３は二つのスライドレール６５を通じて間隔の距離が調整されることで平台板６２の底面に設置される。
【００１１】
図１、図６及び図８に示すように、二つの上脚管１０の頂端はそれぞれ二つの電装箱６０ａを通じて平台板６２の二つの側に固設される。二つの下脚管３０の末端はそれぞれ二つの脚台６１に固設される。二つの伸縮脚柱１の内スクリュー４３がそれぞれ対応する二つのモータ４１の駆動を受けて正方向に回転する時、それぞれ二つのスライドブロック４４を通じて、二つの外スクリュー４２を連動させて同時に正方向に回転させ、且つそれぞれ上ナット５０及び下ナット５１と対応する内スクリュー４３及び外スクリュー４２との螺合作用を通じて、それぞれ上脚管１０を中脚管２０に相対して、中脚管２０を下脚管３０に相対して同時の伸長及び変位を行わせ、更に平台板６２を図６、図１０に示すように連動して上昇させる。
【００１２】
図１、図６、図８に示すように、対照的に、二つの伸縮脚柱１の内スクリュー４３がそれぞれ対応する二つのモータ４１の駆動を受けて逆方向に回転する時、それぞれ二つのスライドブロック４４により二つの外スクリュー４２を連動させて同時の逆方向回転を行わせ、且つそれぞれ上ナット５０及び下ナット５１と対応する内スクリュー４３及び外スクリュー４２との螺合作用を通じて、それぞれ上脚管１０を中脚管２０に相対して、中脚管２０を下脚管３０に相対して同時の収縮及び変位を行わせ、更に平台板６２を図８、図１１に示すように連動して降下させる。
【００１３】
図１、４に示すように、各電装箱６０ａは箱底部６００と、箱底部６００の開口を被覆する箱蓋６０１を含む。箱蓋６０１の二つの側板はそれぞれ、弾性を備える少なくとも一つの留具６０２を有する。箱底部６００の二つの側板はそれぞれ少なくとも一つの留孔６０３を備え、この留孔６０３は留具６０２を穿入させることで弾性のホック体を形成する。軸受５０２は電装箱６０ａと内スクリュー４３との間に介置される。
【００１４】
図１乃至図３、及び図５に示すように、伸縮脚柱１の上脚管１０、中脚管２０及び下脚管３０の横断面はそれぞれ矩形を呈する。そのうち、複数個の前記栓パーツ８１の後端にはそれぞれパッチ８０が固設され、このパッチ８０はそれぞれ中脚管２０及び下脚管３０の壁部の外周面に、これらを覆うかたちで貼付される。各パッチ８０の外周面上には複数個のチャネル８２が備えられ、複数個のチャネル８２内には特定量の潤滑油が填入され、この特定量の潤滑油により、中脚管２０に貼付されるパッチ８０と上脚管１０との間に潤滑作用が備えられ、並びに下脚管３０に貼付されるパッチ８０と中脚管２０との間に潤滑作用が備えられる。
【符号の説明】
【００１５】
１ 伸縮脚柱
１０ 上脚管
２０ 中脚管
３０ 下脚管
４１ モータ
４１０ ウォームギア
４２ 外スクリュー
４２０ ガイド溝
４３ 内スクリュー
４３０ ウォームホイール
４４ スライドブロック
４４０ 凸条
５０ 上ナット
５００ 多辺面
５０１ 軸受
５０２ 軸受
５１ 下ナット
５１０ 多辺面
６０ 連接ユニット
６０ａ 電装箱
６００ 箱底部
６０１ 箱蓋
６０２ 留具
６０３ 留孔
６１ 脚台
６１０ リニアロッド
６１１ クッションブロック
６２ 平台板
６３ 定位ロッド
６４ スライドベース
６４０ スライドスロット
６５ スライドレール
７０ 上クランプブロック
７００ 凹陥
７１ 下クランプブロック
７１０ 凹陥
７２ 螺栓
８０ パッチ
８１ 栓パーツ
８２ チャネル
【図１】
0003222124.tif 000003
【図２】
0003222124.tif 000004
【図３】
0003222124.tif 000005
【図４】
0003222124.tif 000006
【図５】
0003222124.tif 000007
【図６】
0003222124.tif 000008
【図７】
0003222124.tif 000009
【図８】
0003222124.tif 000010
【図９】
0003222124.tif 000011
【図１０】
0003222124.tif 000012
【図１１】
0003222124.tif 000013